(57)【要約】【課題】  構造材の位置を簡単かつ正確に検出できる化粧壁の構造材検知器を提供する。【解決手段】  本発明は、構造材２に化粧裏板３が金属製固着具４を介して固定されるとともに、化粧裏板上に化粧材６が設けられた化粧壁１における構造材２の位置を、化粧材上から検知するための化粧壁の構造材検知器を対象とする。本発明の検知器は、一側面２０ａを化粧材上に沿わせた状態で壁面方向に沿って移動操作自在な透明なケーシング２０を具備する。磁石製の検知体３０がケーシング２０内にその一側面２０ａに沿って移動自在に収容されている。【選択図】      図１
2005083043.tif 000002
【特許請求の範囲】
【請求項１】
構造材に化粧裏板が金属製固着具を介して固定されるとともに、前記化粧裏板上に化粧材が設けられた化粧壁における前記構造材の位置を、前記化粧材上から検知するための化粧壁の構造材検知器であって、
一側面を前記化粧材上に沿わせた状態で壁面方向に沿って移動操作自在なケーシングを具備し、
磁石製の検知体が前記ケーシング内にその一側面に沿って移動自在に収容されるとともに、その検知体の移動位置が前記ケーシングの他側面側から視認されるよう構成されてなることを特徴とする化粧壁の構造材検知器。
【発明の詳細な説明】
【技術分野】
【０００１】
この発明は、内装壁等の化粧壁における構造材の位置を検知するための化粧壁の構造材検知器に関する。
【背景技術】
【０００２】
一般家屋、集合住宅、オフィスビル等の室内における内装壁等の化粧壁は、例えば木質製や金属製の構造材に、プラスターボードや合板パネル等の化粧裏板がビスや釘等の金属製固着具によって面状配置に固定されるとともに、その化粧裏板上に壁紙や壁クロス等の化粧材が貼り付けられて構成されている。
【０００３】
このような化粧壁の壁面に、高重量物、例えば排煙装置等を設置する場合、その重量を十分に支えることができるように、装置取付用のビスを構造材に直接固定する必要がある。従って、化粧壁に排煙装置等を取り付ける際には、あらかじめ壁内における構造材の配設位置を正確に把握しておき、その構造材の配設位置に応じて、排煙装置等を取り付ける必要がある。
【０００４】
従来、壁裏側の構造材を検知するための検知器としては、木質製及び金属製にかかわらず構造材等の有無を電気的に検出するようにしたものが周知である。この検知器は、化粧壁面上の構造材配設位置において、構造材等の被検知体そのものに反応することにより、その位置に構造材等が存在することを知らせるものである。
【発明の開示】
【発明が解決しようとする課題】
【０００５】
しかしながら、上記従来の構造材検知器は、壁裏に配置される部材に反応するものであるため、例えば金属製構造材の位置を検出するに際して、壁裏に電気配線用や通信用の電気ケーブルが配置されていると、その電気ケーブルに対しても、構造材と同様に反応してしまう。このため、構造材と、電気ケーブル等の構造材以外の部材とを区別することができず、検知精度が低いという問題を抱えている。
【０００６】
また上記従来の構造材検知器において、木質製構造材の位置を検出するに際して、化粧裏板として合板パネル等の木質板が使用されていると、検知器は、化粧裏板としての木質板に反応してしまう。つまり検知器は壁面全域において化粧裏板に反応してしまい、その結果、構造材の位置を検出できないという問題が発生する。
【０００７】
この発明は、上記従来技術の問題を解消し、構造材の位置を簡単かつ精度良く検出することができる化粧壁の構造材検知器を提供することを目的とする。
【課題を解決するための手段】
【０００８】
上記目的を達成するため、本発明は以下の構成を備えている。
【０００９】
［１］  構造材に化粧裏板が金属製固着具を介して固定されるとともに、前記化粧裏板上に化粧材が設けられた化粧壁における前記構造材の位置を、前記化粧材上から検知するための化粧壁の構造材検知器であって、
一側面を前記化粧材上に沿わせた状態で壁面方向に沿って移動操作自在なケーシングを具備し、
磁石製の検知体が前記ケーシング内にその一側面に沿って移動自在に収容されるとともに、その検知体の移動位置が前記ケーシングの他側面側から視認されるよう構成されてなることを特徴とする化粧壁の構造材検知器。
【００１０】
この発明においては、ケーシング内に磁石製検知体を移動自在に収容するものであるため、化粧壁の壁面に沿って移動させるだけで、検知体の固着具への吸着作用によって、固着具の位置を検出することができる。そしてその検出された固着具の位置に基づいて、構造材の位置を正確に探し出すことができる。
【００１１】
なお壁裏に配設される電気配線用や通信用のケーブル等の固着具以外の金属製壁裏部材は、化粧裏板の裏側に配置されているため、検知体が吸着するに至るまで近接するようなことはない。従って、検知体が固着具以外の壁裏部材に反応することはなく、固着具のみに正確に反応するため、検知精度を格段に向上させることができる。更に化粧裏板として、合板パネル等の木質板を採用している場合であっても、検知体が木質板に反応することはなく、固着具のみに正確に反応するため、この点においても、高い検知精度を得ることができる。
【００１２】
また本発明の検知器は、ケーシング内に検知体を収容するだけの簡単な構造であるため、容易に製作できて、コストを削減できる上更に、構造の簡素化及び小型軽量化を図ることができ、操作性も向上させることができる。
【００１３】
［２］  前記ケーシングの一側面が平坦面に形成されてなる前項１記載の化粧壁の構造材検知器。この発明の検知器においては、化粧壁面上での移動操作を容易に行うことができる。
【００１４】
［３］  前記ケーシングの他面側が透明部材によって構成されてなる前項１記載の化粧壁の構造材検知器。
【００１５】
［４］  前記ケーシングが透明部材によって構成されてなる前項１記載の化粧壁の構造材検知器。
【００１６】
前項３又は４の発明においては、ケーシング内の検知体を確実に視認することができる。なお、ケーシングの他面側が不透明であったとしても、その他面側に多数のスリットや多数の小孔を形成することにより、検知体の位置を正確に視認することができる。
【００１７】
［５］  前記ケーシングが合成樹脂の成形品をもって構成されてなる前項１記載の化粧壁の構造材検知器。この発明の検知器においては、製作をより一層簡単に行うことができ、コストの削減及び小型軽量化を一段と図ることができる。
【００１８】
［６］  前記ケーシングが偏平な箱形形状に形成されてなる前項１記載の化粧壁の構造材検知器。この発明の検知器においては、把持し易くなり、取扱性を向上させることができる。
【００１９】
［７］  前記ケーシングは、その内部に中空室を有し、前記中空室内に前記検知体が収容されてなる前項１記載の化粧壁の構造材検知器。
【００２０】
［８］  前記ケーシングは平面視矩形状に形成されてなる前項１記載の化粧壁の構造材検知器。
【００２１】
［９］  前記ケーシングに、前記検知体が前記ケーシング内の隅部へ移動するのを阻止するための移動規制手段が設けられてなる前項８記載の化粧壁の構造材検知器。
【００２２】
［１０］  前記中空室は平面視円形、楕円形、長円形等に形成されてなる前項８記載の化粧壁の構造材検知器。
【００２３】
前項９又は１０の発明においては、検知体がケーシングの隅部へ移動するのが阻止されて、検知体がケーシングの中間領域に配置されるため、検知体をより確実に視認することができる。
【００２４】
［１１］  前記ケーシングは平面視多角形状に形成されてなる前項１記載の化粧壁の構造材検知器。
【００２５】
［１２］  前記ケーシングは平面視円形に形成されてなる前項１記載の化粧壁の構造材検知器。
【００２６】
［１３］  前記ケーシングは平面視楕円形ないしは長円形に形成されてなる前項１記載の化粧壁の構造材検知器。
【００２７】
［１４］  前記検知体が、軸心方向の寸法が短い短寸の円柱形状を有している前項１記載の化粧壁の構造材検知器。この発明においては、検知体の移動がスムーズに行われて、検知精度を向上させることができる。なお言うまでもなく、本発明において検知体の外観形状は限定されるものではなく、上記の形状以外に例えば、球形、立方形、長方形、多角柱形状、円錐形状、多角錐形状、あるいはこれらのうち２つ以上のものを組み合わせた形状であっても良い。
【００２８】
［１５］  前記ケーシングの他側面側が平坦面に形成されてなる前項１記載の化粧壁の構造材検知器。この発明においては、検知体の位置を、より正確に視認することができる。
【００２９】
［１６］  前記固着具が、ビス又は釘により構成されてなる前項１記載の化粧壁の構造材検知器。
【００３０】
［１７］  前記化粧裏板が、石膏ボードにより構成されてなる前項１記載の化粧壁の構造材検知器。
【００３１】
［１８］  前記化粧裏板が、木質板により構成されてなる前項１記載の化粧壁の構造材検知器。
【００３２】
［１９］  前記化粧材が、壁紙、壁クロス、塗料、ワックス等により構成されてなる前項１記載の化粧壁の構造材検知器。
【００３３】
［２０］  前記構造材が、木質材により構成されてなる前項１記載の化粧壁の構造材検知器。
【００３４】
［２１］  前記構造材が、金属材により構成されてなる前項１記載の化粧壁の構造材検知器。
【００３５】
［２２］  前記ケーシングの他側面側に目盛りが付与されてなる前項１記載の化粧壁の構造材検知器。
【００３６】
［２３］  構造材に化粧裏板が金属製固着具を介して固定されるとともに、前記化粧裏板上に化粧材が設けられた化粧壁における前記構造材の位置を、前記化粧材上から検知するための化粧壁の構造材検知器であって、
一側面板及び他側面板が間隔をおいて平行に配置された外装体と、
前記両面板間に板面方向に移動自在に配置された磁石製の検知体とを備え、
前記他側面板が透明板により構成されるとともに、
前記外装体がその一側面板を前記化粧材上に沿わせた状態で壁面方向に移動操作自在に構成されてなることを特徴とする化粧壁の構造材検知器。
【００３７】
この発明においても、前項１の発明と同様の作用効果を得ることができる。なおこの発明においては、一側面板及び他側面板は、前項１の発明におけるケーシングの一側面側の壁部及び他側面側の壁部にそれぞれ対応するものである。
【００３８】
［２４］  前記一側面板が透明板により構成されてなる前項２３記載の化粧壁の構造材検知器。この発明においては、一側面側と他側面側とを対象形状に形成することができ、両面を区別する必要がなくなり、取扱性を向上させることができる。
【００３９】
［２５］  前記一側面板が合成樹脂の成形板をもって構成されてなる前項２３記載の化粧壁の構造材検知器。
【００４０】
［２６］  前記他側面板が合成樹脂の成形板をもって構成されてなる前項２３記載の化粧壁の構造材検知器。
【００４１】
［２７］  構造材に化粧裏板が金属製固着具を介して固定されるとともに、前記化粧裏板上に化粧材が設けられた化粧壁における前記構造材の位置を、前記化粧材上から検知するための化粧壁の構造材検知器であって、
面板と、
前記面板上に板面方向に移動自在に配置された磁石製の検知体とを備え、
前記面板を前記化粧材上に沿わせた状態で壁面方向に移動操作自在に構成されてなることを特徴とする化粧壁の構造材検知器。
【００４２】
この発明においても、前項１の発明と同様の作用効果を得ることができる。なおこの発明において、面板は、前記ケーシングの一面側の壁部に相当するものである。
【００４３】
［２８］  前記面板が合成樹脂の成形板をもって構成されてなる前項２７記載の化粧壁の構造材検知器。
【００４４】
［２９］  構造材に化粧裏板が金属製固着具を介して固定されるとともに、前記化粧裏板上に化粧材が設けられた化粧壁における前記構造材の位置を、前記化粧材上から検知するための化粧壁の構造材検知器であって、
外枠体と、
前記外枠体の枠内に設けられた磁石製の検知体と、
前記検知体を前記外枠体の枠内において移動自在に支持するための検知体支持手段とを備える化粧壁の構造材検知器。
【００４５】
この発明においても、前項１の発明と同様の作用効果を得ることができる。
【００４６】
［３０］  前記外枠体の一方側開放面に、一側面板が配置されてなる前項２９記載の化粧壁の構造材検知器。
【００４７】
［３１］  前記外枠体の他方側開放面に、他側面板が配置されてなる前項２９記載の化粧壁の構造材検知器。
【００４８】
［３２］  他側面板が透明板により構成されてなる前項３１記載の化粧壁の構造材検知器。
【００４９】
［３３］  前記検知体支持手段として、柔軟性を有する紐状部材によって構成されてなる前項２９記載の化粧壁の構造材検知器。
【００５０】
［３４］  前記検知体支持手段として、チェーン部材によって構成されてなる前項２９記載の化粧壁の構造材検知器。
【００５１】
［３５］  前記検知体支持手段として、ゴム製の紐状部材によって構成されてなる前項２９記載の化粧壁の構造材検知器。
【００５２】
［３６］  前項１ないし３５のいずれかに記載の検知器が、把持操作用棒状部材の先端に取り付けられてなる化粧壁の構造材検知装置。
【００５３】
［３７］  前記棒状部材と前記検知器との間に弾性部材が介在されてなる前項３６記載の化粧壁の構造材検知装置。
【００５４】
［３８］  前記弾性部材がコイルばねにより構成されてなる前項３７記載の化粧壁の構造材検知装置。
【００５５】
［３９］  構造材に化粧裏板が金属製固着具を介して固定されるとともに、前記化粧裏板上に化粧材が設けられた化粧壁における前記構造材の位置を、前記化粧材上から検知するための化粧壁の構造材検知方法であって、
磁石製の検知体を有する検知器を準備する工程と、
前記検知器の検知体を、前記化粧材上に沿って移動させて、いずれかの固着具に吸着させることにより、固着具の位置を検知する工程と、
検知された固着具の位置に基づいて、前記構造材の位置を特定する工程とを含む化粧壁の構造材検知方法。
【００５６】
この発明においても、前項１の発明と同様の作用効果を得ることができる。
【００５７】
［４０］  前記固着具の位置を検知する工程において、少なくとも２つ以上の固着具の位置を検知するものとした前項３９記載の化粧壁の構造材検知方法。
【００５８】
［４１］  前記検知器として、前項１ないし３５のいずれかに記載の検知器が用いられてなる前項３９記載の化粧壁の構造材検知方法。
【００５９】
［４２］  構造材に化粧裏板が金属製固着具を介して固定されるとともに、前記化粧裏板上に化粧材が設けられた化粧壁における前記構造材の位置を、前記化粧材上から検知するための化粧壁の構造材検知方法であって、
磁石を準備する工程と、
前記磁石の前記固着具に対する吸着作用を利用して、固着具の位置を検知する工程と、
検知された固着具の位置に基づいて、前記構造材の位置を特定する工程とを含む化粧壁の構造材検知方法。
【００６０】
この発明においても、前項１の発明と同様の作用効果を得ることができる。
【００６１】
なお本発明においては、上記の各構成や後述の実施形態の構成を適宜選択して組み合わせることにより、一つの独立した発明として構成することができる。
【発明の効果】
【００６２】
以上のように、本発明によれば、構造材の位置を簡単かつ正確に高精度で検出することができるという効果がある。
【発明を実施するための最良の形態】
【００６３】
以下、本発明の実施形態である構造材検知器（１０）を一般家屋等の木造住宅における内装化粧壁（１）に対し使用する場合について説明する。
【００６４】
図１ないし図３に示すように、本実施形態の検知器（１０）が適用される化粧壁（１）は、支柱、間柱、胴縁等の構造材（２）が縦横に格子状に配置されている。更に構造材（２）の表面側には、プラスターボードや合板パネル等からなる複数の化粧裏板（３）が面状に配置され、その状態で、各化粧裏板（３）の所要箇所が、釘やビス等の金属製固着具（４）によって構造材（２）に固定される。
【００６５】
更に、化粧裏板（３）の表面側における固着具（４）の固定位置には、パテ剤（５）が充填されて、裏板（３）表面の平坦度が確保される。
【００６６】
また化粧裏板（３）の表面側の全域には、壁紙や壁クロス等の化粧材（６）が貼り付けられ、こうして化粧壁（１）が形成されている。
【００６７】
一方、本実施形態のポイントとなる構造材検知器（１０）は、図４及び図５に示すように、内部に中空室（２１）を有するケーシング（２０）と、ケーシング（２０）の中空室（２１）内に収容された検知体（３０）とを基本的な構成要素として備えている。
【００６８】
ケーシング（２０）は、プラスチックやガラス等の透明な素材からなり、平面視矩形状の薄い箱形の形状を有している。このケーシング（２０）は、作業者が容易に把持できる程度の大きさ、具体的には縦横が３０〜１２０ｍｍ、厚みが３〜１５ｍｍ程度に設定されている。
【００６９】
更にケーシング（２０）は、その一側面（２０ａ）及び他側面（２０ｂ）がそれぞれ平坦面に形成されており、一側面（２０ａ）を化粧壁（１）の壁面に接合した状態で壁面に沿ってスライドさせることにより、壁面方向に沿って移動操作できるように構成されている。
【００７０】
またケーシング（２０）内に設けられる中空室（２１）は、平面視において円形状に形成されており、直径が３０〜６０ｍｍ程度に設定されている。この中空室（２１）内に収容される検知体（３０）は、円柱状の形状を有する永久磁石により構成されている。更に検知体（３０）は、直径が２〜８ｍｍ程度に設定されている。
【００７１】
検知体（３０）は、中空室（２１）にフリーな状態に配置されており、ケーシング（２０）の一側面（２０ａ）に沿って面方向にスライド移動自在に構成されている。
【００７２】
ケーシング（２０）の中空室（２１）における一側面（２０ａ）側の壁厚は、０．５〜３ｍｍ程度に設定されている。
【００７３】
更にケーシング（２０）の他側面（２０ｂ）における隣合う二辺には、目盛り（２５）が設けられており、この目盛り（２５）を利用して、構造材（２）を検知する際等に目印を正確に付与できるよう構成されている。
【００７４】
またケーシング（２０）は、上記したように全体が透明な素材により構成されているため、中空室（２１）の他側面（２０ｂ）側における透明壁部を介して、中空室（２１）内における検知体（３０）の位置を正確に視認できるよう構成されている。
【００７５】
なお本実施形態では、ケーシング（２０）全体を透明な材料により構成して、検知体（３０）の位置を視認できるよう構成しているが、本発明はそれだけに限られず、検知体の位置を視認できる構成であれば、どのような構成にしもて良い。例えば、中空室（２１）の他側面（２０ｂ）側の壁部のみを透明な材料により構成すれば、検知体（３０）の位置を正確に視認することができる。更に中空室（２１）の他側面（２０ｂ）側の壁部を不透明な材料により構成する場合であっても、その壁部に多数のスリットや多数の小穴を形成しておくことにより、検知体（３０）の位置を視認することができる。
【００７６】
本実施形態において、上記構成の検知器（１０）を用いて化粧壁（１）の裏側の構造材（２）の位置を探し出すには図１に示すように、検知器（１０）の一側面（２０ａ）を化粧壁（１）の壁面に接合し、その状態で壁面上を滑らせるようにしながらゆっくり移動させる。これにより、検知器（１０）が、いずれかの固着具（４）の周辺位置に近づくと、検知体（３０）が自身の磁力によって、固着具（４）に引き寄せられて吸着し、検知体（３０）が固着具（４）の位置に停止する。こうして１番目の固着具（４）の位置を探し出すことができ、必要に応じてその固着具位置に目印を付与しておく。
【００７７】
続いて、１番目の固着具（４）の取付位置等から、検知器（１０）を壁面に沿って例えば縦方向や横方向にゆっくりと移動させていき、上記と同様に、２番目の固着具（４）の位置を探し出し、目印を付与する。
【００７８】
このように複数の固着具（４）の位置を特定し、その固着具（４）の配列状態から構造材（２）の配設位置を特定するものである。つまり固着具（４）は構造材（２）に固定されるものであるため、複数の固着具（４）を結ぶ直線に沿って構造材（２）が配置されることを把握でき、構造材（２）の位置を確実に探し出すことができる。
【００７９】
また本実施形態においては、ケーシング（２０）に目盛り（２５）を設けるものであるため、目印を付与する際に、目盛り（２５）を利用することにより、固着具（４）を基準位置とする所望の位置、換言すれば構造材（２）を基準位置とする所望の位置に、目印を精度良く付与することができる。従ってその目印に基づいて、以降の作業、例えば排煙装置等の壁面設置部材の取付作業を位置精度良くスムーズに行うことができる。
【００８０】
以上のように、本実施形態の構造材検知器（１０）によれば、ケーシング（２０）内に移動自在に磁石製の検知体（３０）に収容するものであるため、壁面に沿って移動させるだけで、検知体（３０）が固着具（４）に吸着することにより、固着具（３０）の位置、つまり構造材（２）の位置を簡単に探し出すことができる。しかも、壁裏に配設される電気配線用や通信用のケーブル等の固着具以外の金属製壁裏部材は、化粧裏板（３）の裏側に配置されるため、検知体（３０）が吸着するに至るまで近接するようなことはない。従って、検知体（３０）が、固着具以外の金属製壁裏部材に反応（吸着）することはなく、固着具（４）のみに的確に反応するため、ほぼ１００％の確率で、構造材（２）の位置を検出することができ、検知精度を格段に向上させることができる。
【００８１】
なお、本実施形態においては、化粧裏板として合板パネルを採用している場合であっても、検知体（３０）が合板パネルに反応することはなく、固着具（４）のみに正確に反応するため、構造材（２）の位置を正確に把握することができ、この点においても、検知精度を向上させることができる。
【００８２】
また本実施形態の構造材検知器（１０）は、透明ケーシング（２０）内に磁石製検知体（３０）を収容するだけの簡単な構造であるため、容易に製作することができる上、コストも削減することができる。
【００８３】
その上、本実施形態の検知器（１０）は、構造の簡素化はもちろん、小型軽量化も十分に図ることができ、操作性を格段に向上させることができる。
【００８４】
更に本実施形態の検知器（１０）は、ケーシング（２０）の中央に円筒形の中空室（２１）を設けて、その中空室（２１）内に検知体（３０）を収容するものであるため、例えば検知体（３０）がケーシング（２０）の隅部に移動して、検知体（３０）を視認し難くなるような不具合を防止することができ、良好な操作性を得ることができる。
【００８５】
図６は上記実施形態の検知器（１０）を利用した検知装置（５０）を示す側面図である。同図に示すように、この検知装置（５０）は、棒状部材（５１）の上端にコイルばね（５２）を介して上記実施形態と同様の検知器（１０）が取り付けられて構成されている。この検知装置（５０）においては、化粧壁における高位置の構造材を容易に探し出すことができる。すなわち検知装置（５０）の棒状部材（５１）を手で把持することにより、検知器（１０）を高い位置まで持ち上げることができ、その状態で、上記したように化粧壁の壁面に沿って検知器（１０）を移動操作することにより、高位置の構造材を確実に探し出すことができる。
【００８６】
しかもこの検知装置（５０）においては、棒状部材（５１）の上端にコイルばね（５２）を介して検知器（１０）を取り付けるものであるため、コイルばね（５２）が屈曲変形することにより、直接手が届かないような高い位置であっても、棒状部材（５１）を介して検知器（１０）を壁面に正確に沿わせることができ、高い検出精度を維持することができる。
【００８７】
なお上記実施形態においては、木質製の構造材（２）を有する化粧壁（１）に本発明を適用する場合について説明したが、本発明は、それだけに限られず、金属製の構造材を有する化粧壁にも適用することができる。
【００８８】
また本発明の検知器は、天井壁や床壁等の化粧壁に対しても使用することができる。
【図面の簡単な説明】
【００８９】
【図１】この発明の実施形態である検知器が適用された化粧壁を示す断面図である。
【図２】実施形態の検知器が適用可能な化粧壁の一部を切り欠いて示す斜視図である。
【図３】実施形態の検知器が適用可能な化粧壁の構造材を示す正面図である。
【図４】この発明の実施形態である検知器を示す斜視図である。
【図５】この発明の実施形態である検知器を示す断面図である。
【図６】実施形態の検知器を利用した検知装置を示す側面図である。
【符号の説明】
【００９０】
１…化粧壁
２…構造材
３…化粧裏板
４…固着具
６…化粧材
１０…検知器
２０…ケーシング
２０ａ…一側面
２０ｂ…他側面
３０…検知体
【図１】
2005083043.tif 000003
【図２】
2005083043.tif 000004
【図３】
2005083043.tif 000005
【図４】
2005083043.tif 000006
【図５】
2005083043.tif 000007
【図６】
2005083043.tif 000008